(57)【要約】【課題】  小物を容易に取り出すことができるとともに、ポケットの使用感を損なわないクリップを提供すること。【解決手段】衣類のポケットに差し込み自在に装着できる衣類用のクリップであって、前記ポケットに一端部を挿入することができ、該一端部に連続する上端部には前記ポケットの縁部の一部を包囲する折り返し部が形成され、前記ポケットに挿入した際に前記ポケットの外面に沿うように位置する他端部を有する帯状のクリップ本体と、該クリップ本体の他端部に一体又は別体に設けられ、小物又は小物を収納する収納具を取り付けることができる取付部と、前記折り返し部付近に設けられ、前記ポケットの縁部付近を挟持する挟持手段とで構成されることを特徴とする。【選択図】  図１
2020048632.tif 000002
【特許請求の範囲】
【請求項１】
衣類のポケットに差し込み自在に装着できる衣類用のクリップであって、前記ポケットに一端部を挿入することができ、該一端部に連続する上端部には前記ポケットの縁部の一部を包囲する折り返し部が形成され、前記ポケットに挿入した際に前記ポケットの外面に沿うように位置する他端部を有する帯状のクリップ本体と、該クリップ本体の他端部に一体又は別体に設けられ、小物又は小物を収納する収納具を取り付けることができる取付部と、前記折り返し部付近に設けられ、前記ポケットの縁部付近を挟持する挟持手段とで構成されるクリップ。
【請求項２】
前記挟持手段は、前記折り返し部付近に形成されたネジ孔と、該ネジ孔に螺合する挟持部材とで構成されることを特徴とする請求項１に記載のクリップ。
【請求項３】
前記挟持部材の先端部には、前記ネジ孔から脱落することを防止する脱落防止手段が形成されていることを特徴とする請求項２に記載のクリップ。
【請求項４】
前記取付部は、クリップ本体の他端部に一体的に形成されたフック状の取付部であることを特徴とする請求項１乃至請求項３のいずれかに記載のクリップ。
【発明の詳細な説明】
【技術分野】
【０００１】
本発明は鍵、財布、携帯電話、飲料等の小物やこれらの小物を収納するポーチやキーケース、スマートフォンケース等の収納具を衣類に取り付けることができるクリップに関する。
【背景技術】
【０００２】
従来、小物や収納具を衣類に取り付けるものとしては、ベルト通し部を備えるポーチや、特許文献１のようなベルト等を挟み込むクリップ状のものが知られている。
しかしながら、このようなベルトを利用してポーチ等を取り付けるものでは、使用しやすい位置にポーチ等を取り付けようとすると、スボンのポケットの位置と重なってしまい、ポケットが使用しづらくなるという欠点があった。
また、前記特許文献１のベルトクリップをベルト以外の部位、例えばポケットに取り付けて小物を収納する収納具を取り付けた場合、小物を収納具から取り出す際に、クリップが上方へ持ち上げられ、ベルト等から脱落してしまうおそれがあった。
【先行技術文献】
【特許文献】
【０００３】
【特許文献１】特開２００８−９３３９０号公報
【発明の概要】
【発明が解決しようとする課題】
【０００４】
本発明は以上のような従来の欠点に鑑み、小物を容易に取り出すことができるとともに、ポケットの使用感を損なわないクリップを提供することを目的としている。
【課題を解決するための手段】
【０００５】
上記目的を達成するために、本発明の請求項１に記載のクリップは、衣類のポケットに差し込み自在に装着できる衣類用のクリップであって、前記ポケットに一端部を挿入することができ、該一端部に連続する上端部には前記ポケットの縁部の一部を包囲する折り返し部が形成され、前記ポケットに挿入した際に前記ポケットの外面に沿うように位置する他端部を有する帯状のクリップ本体と、該クリップ本体の他端部に一体又は別体に設けられ、小物又は小物を収納する収納具を取り付けることができる取付部と、前記折り返し部付近に設けられ、前記ポケットの縁部付近を挟持する挟持手段とで構成されることを特徴とする。
【０００６】
請求項２に記載されたクリップの前記挟持手段は、前記折り返し部付近に形成されたネジ孔と、該ネジ孔に螺合する挟持部材とで構成されることを特徴とする。
請求項３に記載されたクリップの前記挟持部材の先端部には、前記ネジ孔から脱落することを防止する脱落防止手段が形成されていることを特徴とする。
請求項４に記載されたクリップの前記取付部は、クリップ本体の他端部に一体的に形成されたフック状の取付部であることを特徴とする。
【発明の効果】
【０００７】
以上の説明から明らかなように、本発明にあっては次に列挙する効果が得られる。
（１）請求項１に記載された発明においては、ポケットに挿入するとともに、ポケットの縁部付近を挟持する挟持手段を備えているので、収納具から小物を取り出す場合や収納具を取付部からはずす際に、摩擦力によって収納具やクリップが上方へ引っ張られても、挟持手段によりポケットに挟持されているため、ポケットからクリップが脱落することを確実に防止することができる。
（２）収納具はポケットと同じ周方向の位置に位置し、かつ、ポケットよりも下方に取り付けられるので、収納具を使用しやすく、ポケットの使用感を妨げることなく使用することができる。
（３）請求項２に記載された発明も、前記（１）〜（２）と同様な効果が得られるとともに、容易かつ適切な挟持力でポケットを挟持することができる。
（４）請求項３に記載された発明も、前記（１）〜（３）と同様な効果が得られるとともに、挟持部材がネジ孔から脱落することを確実に防止できる。
（５）請求項４に記載された発明も、前記（１）〜（４）と同様な効果が得られるとともに、収納具を容易に着脱することができる。
【図面の簡単な説明】
【０００８】
図１乃至図５は本発明の第１の実施形態を示す説明図である。
図６乃至図８は本発明の第２の実施形態を示す説明図である。
図９乃至図１１は本発明の第３の実施形態を示す説明図である。
【図１】第１実施形態のクリップの正面図。
【図２】クリップの側面図。
【図３】図１の３−３線断面図。
【図４】挟持手段の説明図。
【図５】収納具を取り付ける状態の斜視図。
【図６】第２実施形態のクリップの正面図。
【図７】図６の７−７線断面図。
【図８】挟持手段の説明図。
【図９】第３実施形態のクリップの正面図。
【図１０】クリップの側面図。
【図１１】収納具を取り付ける状態の斜視図。
【発明を実施するための形態】
【０００９】
以下、図面に示す本発明を実施するための形態により、本発明を詳細に説明する。
【００１０】
図１乃至図５に示す本発明を実施するための第１の形態において、１はポーチやキーケース、スマートフォンケース等の小物やこれらを収納する収納具２を衣類３のポケット４に差し込み自在に装着することができるクリップである。
このクリップ１は、図１乃至図３に示すように、ポケット４に一端部５ａを挿入することができ、この一端部５ａに連続する上端部には前記ポケット４の縁部４ａの一部を包囲する折り返し部６が形成され、前記ポケット４に挿入した際に前記ポケット４の外面に沿うように位置する他端部５ｂを有する帯状のクリップ本体５と、該クリップ本体５の他端部５ｂに連続するように一体的に設けられ、小物又は小物を収納する収納具２を取り付けることができる取付部７と、前記折り返し部６付近に設けられ、前記ポケット４の縁部４ａ付近を挟持する挟持手段８とで構成されている。
【００１１】
クリップ本体５は、本実施形態においては、一定の幅を有する帯状の金属部材を折り曲げ加工して折り返し部６を形成したものであり、例えば図２に示すように、略逆Ｕ字状の形状に形成されている。
【００１２】
その一端部５ａ側の端部は外側へ湾曲するように形成されており、衣類３のポケット等へ挿入する際に挿入しやすい形状となっている。この一端部５ａから上方へ立ち上がり、折り返し部６で折り返され他端部５ｂへと略逆Ｕ字状に連続している。
この折り返し部６の内側は、ポケット４に一端部５ａを挿入した際に、ポケットの上端部が当接する。
【００１３】
取付部７は、本実施形態においては、小物や小物を収納する収納具２を取り付けられるものであり、前記クリップ本体５の他端部５ｂと連続するように折り曲げ加工されており、側面視においてフック形状に形成されている。
【００１４】
この取付部７には、使用状態においては収納具２に設けられた取付ベルト等の被取付部９が係止されて取り付けられる。この取付部７に取り付けられた収納具２には、携帯電話、財布、鍵等の小物が収納される。
【００１５】
この収納具２はポケット４にクリップ１を介して取り付けられているため、収納具２も周方向の位置をポケット４と同じ部位に位置させてもポケット４の開口部よりも下方の位置に取り付けられるため、ポケット４の使用感を損なうことなく収納具２を取り付けることができる。
【００１６】
収納具２についても、ポケット４と略同位置の使いやすい部位に取り付けることができるので、違和感なく後付のポケット、小物入れ、小物吊り下げ具等として使用することができる。
【００１７】
挟持手段８は、本実施形態においては、図４に示すように、クリップ本体５の折り返し部６付近に形成されたネジ孔１０と、該ネジ孔１０に螺合するネジ部１１を有する挟持部材１２とで構成されており、この挟持部材１２をねじ込むことにより、挟持部材１２の先端部がポケット４の縁部付近を押圧し、ポケット４が挟持される。
【００１８】
ところで、ポケット４は、通常その縁部４ａ（開口部）付近が折り返されて逢着されており、この折り返し部分を逢着した逢着部４ｂの下に挟持部材１２の先端部が位置するように設けることが望ましい。このような位置に挟持手段８を設けることにより、ポケット４の生地を挟持部材１２とクリップ本体５の内側とで挟み込んで挟持するだけでなく、クリップ本体５に上向きの力が加わった際に、ポケット４の逢着部４ｂ及び折り返しによって生じる生地の段差に挟持部材１２の先端部が引っかかり、より確実に脱落を防止することができる。
【００１９】
この挟持部材１２の先端部は、ネジ孔１０から脱落することを防止する脱落防止手段１３が設けられている。この脱落防止手段１３は、本実施形態においては、挟持部材１２の先端部にネジ孔１０と略同径又はやや大径でネジ部１１を形成しない部位（又はネジ部１１を潰した部位等）を形成することにより、この部位がネジ孔１０を通過せず、挟持部材１２がネジ孔１０を通過して脱落することを防止している。
【００２０】
このような脱落防止手段１３を形成した場合、組立時にはネジ孔１０にネジ部１１を螺合させるために、この脱落防止手段１３を形成した部位の直径を縮小させることで通過させる等が考えられる。具体的には、脱落防止手段１３を形成した部位に切り欠き等を設けてネジ部１１を形成しない部位の直径を縮小させて、ネジ部１１を通過させるとよい。
この他にも、ネジ部１１を通過させた後、挟持部材１２の先端部分のネジ部１１を潰して脱落防止手段１３とする、この先端部分にストッパー等を固定する等の脱落防止手段１３が考えられる。
【００２１】
また、この挟持部材１２のヘッド部１２ａの外周部は手で回しやすいようにローレット状の溝等が形成されている。このような滑り止めは必ずしも形成する必要はないが、形成することが望ましい。
【００２２】
他端部５ｂ側には、この他端部５ｂと連続するように折り曲げ加工された取付部７が一体的に形成されており、収納具２等を吊り下げることができるようになっている。
【００２３】
クリップ１を使用する場合には、衣類３のポケット４にクリップ本体５の一端部５ａを挿入するとともに、ポケットの上端部が折り返し部６に当接した後、挟持部材１２を回して挟持部材１２の先端部とクリップ本体５の一端部側の内側面とで挟持する。
【００２４】
このとき、この挟持部材１２の先端部がポケット４の逢着部４ｂの下端部付近に位置するので、挟持部材１２の先端部が逢着部４ｂに引っかかり、脱落防止効果をより高くすることができる。
【００２５】
その後、小物入れ等の収納具２を取付部７に取り付け、この収納具２に携帯電話等の小物を収納する。
【００２６】
［発明を実施するための異なる形態］
次に、図６乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図６乃至図８に示す本発明を実施するための第２の形態において、前記本発明を実施するための第１の形態と主に異なる点は、クリップ本体の他端部側の折り返し部付近に形成した切り欠き１４と、この切り欠き１４にヒンジ部１５を介して設けた舌片状の挟持部材１２Ａと、前記挟持部材を内側方向へ付勢するねじりバネ等の付勢具（図示せず）とで挟持手段８Ａを構成した点で、このような挟持手段８Ａを用いたクリップ１Ａにしても前記本発明を実施するための第１の形態と同様な作用効果が得られる。
なお、挟持部材１２Ａの内側の先端部分に突起の押圧部を設けてもよい。
【００２８】
また、このような挟持手段８Ａとする場合、ポケット４から取り外す際に挟持部材１２Ａの押圧状態を解除するために、挟持部材１２Ａの先端部付近に摘み等を設けることが望ましい。
【００２９】
図９乃至図１１に示す本発明を実施するための第３の形態において、前記本発明を実施するための第１の形態と主に異なる点は、略逆Ｕ字状で取付部が一体的に形成されていないクリップ本体５Ａと、このクリップ本体５Ａの他端部５ｂの下端部付近にフック状の取付部７Ａを溶接等により固定したクリップ１Ｂにした点で、このような構成にしても前記本発明を実施するための第１の形態と同様な作用効果が得られる。
【００３０】
本実施形態においては、フック状の取付部７Ａだけでなく、リング状、カラビナ状の取付部７Ａをクリップ本体５の他端部５ａに固定してもよい。このようなリング状、カラビナ状の取付部７Ａを用いる場合、小物を直接取付部に取り付けることもできる。
なお、本発明の実施形態では、挟持手段としてネジや舌片状のものを用いたものについて説明したが、クリップ本体の他端部側の折り返し部付近を自在に押圧できるように構成されたものであればどのようなものを用いてもよい。例えば、内側に出没可能なボタン状の挟持部材を用いて挟持する挟持手段等が考えられる。
【産業上の利用可能性】
【００３１】
本発明は小物入れ等の収納具を生産する産業で利用される。
【符号の説明】
【００３２】
１、１Ａ、１Ｂ：クリップ、          ２：収納具、
３：衣類、                          ４：ポケット、
５、５Ａ：クリップ本体、            ６：折り返し部、
７、７Ａ：取付部、                  ８、８Ａ：挟持手段、
９：被取付部、                      １０：ネジ孔、
１１：ネジ部、                      １２、１２Ａ：挟持部材、
１３：脱落防止手段、                １４：切り欠き、
１５：ヒンジ部。
【図１】
2020048632.tif 000003
【図２】
2020048632.tif 000004
【図３】
2020048632.tif 000005
【図４】
2020048632.tif 000006
【図５】
2020048632.tif 000007
【図６】
2020048632.tif 000008
【図７】
2020048632.tif 000009
【図８】
2020048632.tif 000010
【図９】
2020048632.tif 000011
【図１０】
2020048632.tif 000012
【図１１】
2020048632.tif 000013